(57)【要約】  【課題】  ユーザーの使い勝手の向上を図りつつ、画像品質の劣化を防止することができるインクジェット記録装置を提供すること。  【解決手段】  本発明のインクジェット記録装置１は、給紙作業及びインクカートリッジ１６の着脱を搬送の上流側から行うことを可能として、ユーザーの使い勝手の向上を図っている。また、各インク導入孔６ａ１〜６ｆ１と各インク導出孔９ａ１〜９ｆ１とを連結する各インクチューブ１０は、その長さの差が少なくなるように配置されている。これにより、インクチューブ１０の流路抵抗を均一化して。インク吐出孔に形成されるメニスカスを安定させ、画像品質の劣化を防止することができるという効果がある。  【選択図】        図１
2006239880.tif 000002
【特許請求の範囲】
【請求項１】
記録媒体を第１の方向に搬送する搬送手段と、その搬送手段によって搬送される記録媒体と対向する位置に位置決めされると共に、各々が複数のインク吐出孔と外部からインクが導入されるインク導入孔とを有する複数の記録ヘッドと、外部からインクカートリッジが装着される複数のカートリッジ装着部と、これら複数のカートリッジ装着部にそれぞれに対応して設けられ、前記カートリッジ装着部に装着されたインクカートリッジ内のインクを外部に導出するインク導出孔を備えた複数のインク導出部と、これら複数のインク導出孔と前記複数のインク導入孔とをそれぞれ連結する複数のインクチューブとを備え、
前記複数の記録ヘッドは、前記複数のインク導入孔が前記第１の方向と平行な第１の仮想線に沿って整列するように前記第１の方向に並設され、
前記複数のカートリッジ装着部は、インクカートリッジが前記第１の方向に沿って挿入されることで装着されると共に、前記第１の方向と略直交する第２の方向に並設され、
前記複数のインク導出部は、前記複数のインク導出孔が前記第２の方向と平行な第２の仮想線に沿って整列するように前記第２の方向に並設され、
一のインク導出孔と連結される一のインク導入孔は、前記一のインク導出孔よりも前記第１の仮想線と前記第２の仮想線との交点から離れた他のインク導出孔と連結される他のインク導入孔に比べて、前記交点から離れていることを特徴とするインクジェット記録装置。
【請求項２】
前記複数のインク導入孔及び前記複数のインク導出孔の数がｎ個（ｎは２以上の自然数）であって、前記交点にｘ番目（ｘは自然数）に近い前記インク導出孔は、前記交点にｎ−ｘ＋１番面に近い前記インク導入孔と連結することを特徴とする請求項１記載のインクジェット記録装置。
【請求項３】
前記複数のカートリッジ装着部は、インクカートリッジが前記搬送手段による記録媒体の搬送方向と同じ方向から挿入されるものであり、
前記搬送手段の上流端近傍には、前記搬送手段によって搬送される記録媒体が供給される記録媒体供給部が設けられ、この記録媒体供給部は、外部から記録媒体が取り出し可能であることを特徴とする請求項１又は２に記載のインクジェット記録装置。
【請求項４】
前記複数の記録ヘッドを保持するヘッドユニットを更に備え、このヘッドユニットは、前記第１の方向における両端の内の前記第２の仮想線に近い側の端部に設けられた前記第２の方向に延在する軸を中心として回動可能であることを特徴とする請求項１から３のいずれかに記載のインクジェット記録装置。
【請求項５】
前記複数のインクチューブの内で前記交点に近接する前記インク導入孔に連結されるインクチューブほど他のインクチューブよりも下方で交差するように構成されていることを特徴とする請求項４記載のインクジェット記録装置。
【請求項６】
前記複数のインクチューブの内の隣り合うインクチューブの少なくとも２本以上を束ねる結束具を備えていることを特徴とする請求項１から５のいずれかに記載のインクジェット記録装置。
【請求項７】
前記結束具で束ねたチューブ束を形成した場合には、そのチューブ束の前記インクチューブの内で前記交点に近接する前記インク導入孔に連結されるインクチューブほど他のインクチューブより下方で交差するように構成されていることを特徴とする請求項６記載のインクジェット記録装置。
【請求項８】
前記インク導出部の上方に配設される第１チューブホルダを備え、
その第１チューブホルダは、前記複数のインクチューブを挿通するために前記複数のインクチューブと同数の第１貫通穴が穿設されることを特徴とする請求項１から７のいずれかに記載のインクジェット記録装置。
【請求項９】
前記インク導入孔の上方に配設され前記ヘッドユニットに固定される第２チューブホルダを備え、
その第２チューブホルダは、前記複数のインクチューブを挿通するために前記複数のインクチューブと同数の第２貫通穴が穿設されるものであり、
少なくとも前記交点に最も近接する前記第２貫通穴が前記交点に最も近接する前記インク導入孔の上方付近に配設され、かつ、少なくとも前記交点から最も離間する前記第２貫通穴が前記交点から最も離間する前記インク導入孔よりも前記交点側に配設されていることを特徴とする請求項４から８のいずれかに記載のインクジェット記録装置。
【請求項１０】
少なくとも前記交点から最も離間する前記第２貫通穴は、その上方開口が下方開口よりも前記交点側に位置するように傾斜を有して構成されていることを特徴とする請求項９記載のインクジェット記録装置。
【請求項１１】
前記各第２貫通穴の内径寸法は、前記各インクチューブの外径寸法より大きく設定されていることを特徴とする請求項９又は１０に記載のインクジェット記録装置。
【請求項１２】
前記インク導入孔と前記第２チューブホルダとの間において前記各インクチューブに固定されるストッパを備え、このストッパは前記第２貫通穴の内径寸法よりも大きいことを特徴とする請求項１１記載のインクジェット記録装置。
【請求項１３】
前記複数のインク導出部は、それぞれインクカートリッジ内のインクをインクチューブに導出するための圧力を付与するポンプを含むことを特徴とする請求項１から１２のいずれかに記載のインクジェット記録装置。
【発明の詳細な説明】
【技術分野】
【０００１】
本発明は、インクジェット記録装置に関し、特に、ユーザーの使い勝手の向上を図りつつ、画像品質の劣化を防止することができるインクジェット記録装置に関するものである。
【背景技術】
【０００２】
一般に、記録媒体にインクを吐出することで所望の画像を形成するインクジェット記録装置には、一軸方向に移動可能な記録ヘッドにより構成されるシリアル式インクジェット記録装置と、固定式の記録ヘッドにより構成されるライン式インクジェット記録装置とがある。
【０００３】
シリアル式インクジェット記録装置は、特開２００２―２４０３１６号公報に開示されるように、インクカートリッジに貯留されるインクをインクジェットヘッド（記録ヘッド）に供給するインクチューブが柔軟性を有して構成されている。これにより、インクチューブはインクジェットヘッドの移動に応じて変形することが可能となる。
【０００４】
しかしながら、シリアル式インクジェット記録装置では、上述したように、インクチューブの柔軟性を確保する必要があるため、インクチューブを柔軟性の高い材料で形成するか、あるいは、その外壁を薄肉に構成しなければならない。その結果、水及び空気の透過防止性能が低下し、インクの品質低下を引き起こすという問題点があった。
【０００５】
一方、ライン式インクジェット記録装置では、固定式の記録ヘッドにより構成されるため、シリアル式インクジェット記録装置に用いられるインクチューブほど柔軟性は要求されない。即ち、外壁が肉厚で構成されるインクチューブを用いることが可能となるので、水及び空気の透過防止性能の向上を図り、インクの品質低下を防止することが可能となる。
【特許文献１】特開２００２−２４０３１６号公報（段落［０００７］、図１など）
【発明の開示】
【発明が解決しようとする課題】
【０００６】
ところで、ライン式インクジェット記録装置には、インクカートリッジの着脱作業と記録媒体をセットする給紙作業をともに装置の同一方向側（例えば記録装置の手前側）から行うことでユーザーの使い勝手の向上を図りたいという要望があった。かかる要望を満たすためには、例えば、複数の記録ヘッドを搬送方向に並設し、かつ、複数のインクカートリッジを搬送方向と略直角な方向に並設することが考えられる。
【０００７】
しかしながら、各記録ヘッド及び各インクカートリッジが上述のように配設される場合には、各記録ヘッドと各インクカートリッジとの連結距離に差が生じる。このため、各インクチューブの長さにばらつきが生じ、画像品質が劣化するという問題点があった。
【０００８】
本発明は上述した問題点を解決するためになされたものであり、ユーザーの使い勝手の向上を図りつつ、画像品質の劣化を防止することができるインクジェット記録装置を提供することを目的としている。
【課題を解決するための手段】
【０００９】
この目的を達成するために、請求項１記載のインクジェット記録装置は、記録媒体を第１の方向に搬送する搬送手段と、その搬送手段によって搬送される記録媒体と対向する位置に位置決めされると共に、各々が複数のインク吐出孔と外部からインクが導入されるインク導入孔とを有する複数の記録ヘッドと、外部からインクカートリッジが装着される複数のカートリッジ装着部と、これら複数のカートリッジ装着部にそれぞれに対応して設けられ、前記カートリッジ装着部に装着されたインクカートリッジ内のインクを外部に導出するインク導出孔を備えた複数のインク導出部と、これら複数のインク導出孔と前記複数のインク導入孔とをそれぞれ連結する複数のインクチューブとを備え、前記複数の記録ヘッドは、前記複数のインク導入孔が前記第１の方向と平行な第１の仮想線に沿って整列するように前記第１の方向に並設され、前記複数のカートリッジ装着部は、インクカートリッジが前記第１の方向に沿って挿入されることで装着されると共に、前記第１の方向と略直交する第２の方向に並設され、前記複数のインク導出部は、前記複数のインク導出孔が前記第２の方向と平行な第２の仮想線に沿って整列するように前記第２の方向に並設され、一のインク導出孔と連結される一のインク導入孔は、前記一のインク導出孔よりも前記第１の仮想線と前記第２の仮想線との交点から離れた他のインク導出孔と連結される他のインク導入孔に比べて、前記交点から離れている。
【００１０】
請求項２記載のインクジェット記録装置は、請求項１記載のインクジェット記録装置において、前記複数のインク導入孔及び前記複数のインク導出孔の数がｎ個（ｎは２以上の自然数）であって、前記交点にｘ番目（ｘは自然数）に近い前記インク導出孔は、前記交点にｎ−ｘ＋１番面に近い前記インク導入孔と連結する。
【００１１】
請求項３記載のインクジェット記録装置は、請求項１又は２に記載のインクジェット記録装置において、前記複数のカートリッジ装着部は、インクカートリッジが前記搬送手段による記録媒体の搬送方向と同じ方向から挿入されるものであり、前記搬送手段の上流端近傍には、前記搬送手段によって搬送される記録媒体が供給される記録媒体供給部が設けられ、この記録媒体供給部は、外部から記録媒体が取り出し可能である。
【００１２】
請求項４記載のインクジェット記録装置は、請求項１から３のいずれかに記載のインクジェット記録装置において、前記複数の記録ヘッドを保持するヘッドユニットを更に備え、このヘッドユニットは、前記第１の方向における両端の内の前記第２の仮想線に近い側の端部に設けられた前記第２の方向に延在する軸を中心として回動可能である。
【００１３】
請求項５記載のインクジェット記録装置は、請求項４記載のインクジェット記録装置において、前記複数のインクチューブの内で前記交点に近接する前記インク導入孔に連結されるインクチューブほど他のインクチューブよりも下方で交差するように構成されている。
【００１４】
請求項６記載のインクジェット記録装置は、請求項１から５のいずれかに記載のインクジェット記録装置において、前記複数のインクチューブの内の隣り合うインクチューブの少なくとも２本以上を束ねる結束具を備えている。
【００１５】
請求項７記載のインクジェット記録装置は、請求項６記載のインクジェット記録装置において、前記結束具で束ねたチューブ束を形成した場合には、そのチューブ束の前記インクチューブの内で前記交点に近接する前記インク導入孔に連結されるインクチューブほど他のインクチューブより下方で交差するように構成されている。
【００１６】
請求項８記載のインクジェット記録装置は、請求項１から７のいずれかに記載のインクジェット記録装置において、前記インク導出部の上方に配設される第１チューブホルダを備え、その第１チューブホルダは、前記複数のインクチューブを挿通するために前記複数のインクチューブと同数の第１貫通穴が穿設される。
【００１７】
請求項９記載のインクジェット記録装置は、請求項４から８のいずれかに記載のインクジェット記録装置において、前記インク導入孔の上方に配設され前記ヘッドユニットに固定される第２チューブホルダを備え、その第２チューブホルダは、前記複数のインクチューブを挿通するために前記複数のインクチューブと同数の第２貫通穴が穿設されるものであり、少なくとも前記交点に最も近接する前記第２貫通穴が前記交点に最も近接する前記インク導入孔の上方付近に配設され、かつ、少なくとも前記交点から最も離間する前記第２貫通穴が前記交点から最も離間する前記インク導入孔よりも前記交点側に配設されている。
【００１８】
請求項１０記載のインクジェット記録装置は、請求項９記載のインクジェット記録装置において、少なくとも前記交点から最も離間する前記第２貫通穴は、その上方開口が下方開口よりも前記交点側に位置するように傾斜を有して構成されている。
【００１９】
請求項１１記載のインクジェット記録装置は、請求項９又は１０に記載のインクジェット記録装置において、前記各第２貫通穴の内径寸法は、前記各インクチューブの外径寸法より大きく設定されている。
【００２０】
請求項１２記載のインクジェット記録装置は、請求項１１記載のインクジェット記録装置において、前記インク導入孔と前記第２チューブホルダとの間において前記各インクチューブに固定されるストッパを備え、このストッパは前記第２貫通穴の内径寸法よりも大きい。
【００２１】
請求項１３記載のインクジェット記録装置は、請求項１から１２のいずれかに記載のインクジェット記録装置において、前記複数のインク導出部は、それぞれインクカートリッジ内のインクをインクチューブに導出するための圧力を付与するポンプを含む。
【発明の効果】
【００２２】
請求項１記載のインクジェット記録装置によれば、複数の記録ヘッドが記録媒体が搬送される方向である第１の方向に並設されると共に、複数のカートリッジ装着部が第１の方向と直交する第２の方向に並設されてインクカートリッジが第１の方向に沿って挿入されることで装着される。これにより、ユーザーは、装置に対して第１の方向から向き合った状態で給排紙作業とインクカートリッジの着脱作業をともに行うことができるので、ユーザーの使い勝手の向上を図ることができるという効果がある。
【００２３】
また、インクを導入するための記録ヘッドに配設されるインク導入孔が第１の方向と平行な第１の仮想線に沿って整列するように第１の方向に沿って並設されると共に、カートリッジ装着部に装着されたインクカートリッジ内のインクを外部に導出するインク導出孔を備えた複数のインク導出部は第２の方向と平行な第２の仮想線に沿って整列するように並設される。そして、インク導入孔とインク導出孔とを連結するインクチューブは、一のインク導出孔と連結される一のインク導入孔が一のインク導出孔よりも第１の仮想線と第２の仮想線との交点から離れた他のインク導出孔と連結される他のインク導入孔に比べて交点から離れるように配置される。これにより、各インクチューブの長さを均一化して、インクチューブの流路抵抗を均一化することができる。その結果、複数の記録ヘッドにわたってインク吐出孔に形成されるメニスカスの形状と位置を均一化して、画像品質の劣化を防止することができるという効果がある。
【００２４】
請求項２記載のインクジェット記録装置によれば、請求項１記載のインクジェット記録装置の奏する効果に加え、複数のインク導入孔及び複数のインク導出孔の数がｎ個（ｎは２以上の自然数）の場合には、交点にｘ番目（ｘは自然数）に近いインク導出孔は、交点にｎ−ｘ＋１番目に近いインク導入孔と連結するように構成されている。これにより、各インクチューブの長さを均一化して、インクチューブの流路抵抗を均一化することができる。その結果、複数の記録ヘッドにわたってインク吐出孔に形成されるメニスカスの形状と位置を均一化して、画像品質の劣化を防止することができるという効果がある。
【００２５】
請求項３記載のインクジェット記録装置によれば、請求項１又は２に記載のインクジェット記録装置の奏する効果に加え、搬送手段の上流端近傍には、搬送手段によって搬送される記録媒体が供給されると共にその記録媒体を外部から取り出し可能に構成される記録媒体供給部が設けられている。これにより、給紙作業及びインクカートリッジの着脱を第１の方向の上流側から行うことを可能として、ユーザーの使い勝手の向上を図ることができるという効果がある。
【００２６】
請求項４記載のインクジェット記録装置によれば、請求項１から３のいずれかに記載のインクジェット記録装置の奏する効果に加え、複数の記録ヘッドを保持するヘッドユニットは、第１の方向における両端の内の第２の仮想線に近い側の端部に設けられた第２の方向に延在する軸を中心として回動可能に構成されている。これにより、ヘッドユニットを回動させて排紙作業を行うジャム処理を第１の方向の上流側から行うことを可能として、ユーザーの使い勝手の向上を図ることができるという効果がある。
【００２７】
請求項５記載のインクジェット記録装置によれば、請求項４記載のインクジェット記録装置の奏する効果に加え、複数のインクチューブの内で交点に近接するインク導入孔に連結されるインクチューブほど他のインクチューブよりも下方で交差するように構成されている。これにより、ヘッドユニットの回動時に各インクチューブ同士の干渉が防止されるので、インクチューブの損傷、各インクチューブの各インク導入孔からの離脱及びインク吐出孔に形成されるメニスカスの破壊を極力回避できるという効果がある。更に、ヘッドユニットの回動がスムーズに行われるという効果もある。
【００２８】
請求項６記載のインクジェット記録装置によれば、請求項１から５のいずれかに記載のインクジェット記録装置の奏する効果に加え、複数のインクチューブの内の隣り合うインクチューブの少なくとも２本以上を束ねる結束具を備えている。これにより、インクチューブが束ねられたチューブ束とその他のインクチューブ又はチューブ束との離間距離を確保することができるので、かかるチューブ束とその他のインクチューブ又はチューブ束との干渉が防止されるので、インクチューブの損傷、各インクチューブの各インク導入孔からの離脱及びインク吐出孔に形成されるメニスカスの破壊を極力回避できるという効果がある。
【００２９】
請求項７記載のインクジェット記録装置によれば、請求項６記載のインクジェット記録装置の奏する効果に加え、結束具で束ねたチューブ束のインクチューブの内で交点に近接するインク導入孔に連結されるインクチューブほど他のインクチューブより下方で交差するように構成されている。これにより、ヘッドユニットの回動時に下方で交差されるインクチューブが上方に位置するインクチューブを押圧することが防止されるので、インクチューブの損傷、各インクチューブの各インク導入孔からの離脱及びインク吐出孔に形成されるメニスカスの破壊を極力回避できるという効果がある。更に、ヘッドユニットの回動がスムーズに行われるという効果もある。
【００３０】
請求項８記載のインクジェット記録装置によれば、請求項１から７のいずれかに記載のインクジェット記録装置の奏する効果に加え、複数のインクチューブを挿通するために複数のインクチューブと同数の第１貫通穴が穿設された第１チューブホルダがインク導出部の上方に配設されている。これにより、各インク導出部に連結される各インクチューブ同士の離間距離を確保することができるので、各インクチューブ同士の干渉が防止され、インクチューブの損傷、各インクチューブの各インク導入孔からの離脱及びインク吐出孔に形成されるメニスカスの破壊を極力回避できるという効果がある。
【００３１】
請求項９記載のインクジェット記録装置によれば、請求項４から８のいずれかに記載のインクジェット記録装置の奏する効果に加え、複数のインクチューブを挿通するために複数のインクチューブと同数の第２貫通穴が穿設された第２チューブホルダがインク導入孔の上方に配設される。これにより、各インク導入孔に連結される各インクチューブ同士の離間距離を確保することができるので、各インクチューブ同士の干渉が防止され、インクチューブの損傷、各インクチューブの各インク導入孔からの離脱及びインク吐出孔に形成されるメニスカスの破壊を極力回避できるという効果がある。
【００３２】
また、交点に最も近接する第２貫通穴が交点に最も近接するインク導入孔の上方付近に配設され、かつ、交点から最も離間する第２貫通穴が交点から最も離間するインク導入孔よりも交点側に配設されているので、各インクチューブを緩やかな傾斜で各インク導入孔に連結させることができる。その結果、各インク導入孔に連結される各インクチューブの負荷が小さくなるため、インクチューブの損傷、各インクチューブの各インク導入孔からの離脱及びインク吐出孔に形成されるメニスカスの破壊を極力回避できるという効果がある。
【００３３】
請求項１０記載のインクジェット記録装置によれば、請求項９記載のインクジェット記録装置の奏する効果に加え、交点から最も離間する第２貫通穴は、その上方開口が下方開口よりも交点側に位置するように傾斜を有して構成されている。これにより、かかる第２貫通穴に挿通されるインクチューブが交点側に傾斜を有するので、インクチューブを折れ曲がらせることなく、インクチューブの上方への膨らみを低く抑えることができるので、装置全体の高さを低くすることができるという効果がある。
【００３４】
請求項１１記載のインクジェット記録装置によれば、請求項９又は１０に記載のインクジェット記録装置の奏する効果に加え、各第２貫通穴の内径寸法は、各インクチューブの外径寸法よりも大きく設定されている。これにより、各第２貫通穴に挿通される各インクチューブの外壁と第２貫通穴の内壁との離間距離を確保して、インクチューブの遊びを確保することができる。その結果、インクチューブが第２チューブホルダに規制されることを防止して、ヘッドユニットをスムーズに回動させることができるという効果がある。
【００３５】
請求項１２記載のインクジェット記録装置によれば、請求項１１記載のインクジェット記録装置の奏する効果に加え、インク導入孔と第２チューブホルダとの間において各インクチューブに固定されるストッパを備えたので、各インクチューブが第２チューブホルダに対して第２貫通穴の延在方向に移動し過ぎることが防止される。これにより、各インクチューブに過剰な負荷がかかることが防止されるという効果がある。
【００３６】
請求項１３記載のインクジェット記録装置によれば、請求項１から１２のいずれかに記載のインクジェット記録装置の奏する効果に加え、複数のインク導出部は、インクカートリッジ内のインクをインクチューブに導出するための圧力を付与するポンプにより構成されている。これにより、インクをインク導出部からインク導入孔に確実に供給することができるという効果がある。
【発明を実施するための最良の形態】
【００３７】
以下、本発明の好ましい実施の形態について、添付図面を参照して説明する。図１は、本発明の第１実施の形態におけるインクジェット記録装置１の上面図である。まず、図１を参照して、インクジェット記録装置１の全体構成について説明する。
【００３８】
インクジェット記録装置１は、記録媒体（図示せず）を供給する供給部３と、その供給部３により供給された記録媒体に画像の形成等を行う記録装置本体２と、その記録装置本体２により画像が形成された記録媒体をストックするスタッカ４とを主に備えて構成されている。
【００３９】
供給部３は、記録媒体を収容するトレイ（図示せず）と、そのトレイに収容された記録媒体に当接するピックアップローラ（図示せず）とを備えて構成されており、そのピックアップローラの駆動により記録装置本体２へ記録媒体を供給する。供給部３に対する記録媒体の補充は、記録装置本体２の正面側、即ち手前側（図１下側）から行われる。
【００４０】
記録装置本体２は、供給部３により供給された記録媒体を搬送する搬送ベルト５と、その搬送ベルト５により搬送される記録媒体にインクを吐出して画像を形成する６つの記録ヘッド６（６ａ〜６ｆ）と、その記録ヘッド６が取り付けられるヘッドユニット７と、６つのインクカートリッジ１６（１６ａ〜１６ｆ）が記録装置本体２の手前側（図１下側）からそれぞれ装着されるカートリッジ装着部８（８ａ〜８ｆ）と、そのカートリッジ装着部８に装着されたインクカートリッジ１６と連結しインクカートリッジ１６内のインクを導出するインク導出部９と、そのインク導出部９から導出されるインクを記録ヘッド６に供給するための６本のインクチューブ１０（第１から第６のインクチューブ１０ａ〜１０ｆ）とを主に備えて構成されている。また、インク導出部９に設けられた６つのインク導出孔９ａ１〜９ｆ１の上方（図１紙面に対する垂直方向手前側）には第１チューブホルダ１１が設置されると共に、記録ヘッド６ａ〜６ｆにそれぞれ設けられたインク導入孔６ａ１〜６ｆ１の上方には第２チューブホルダ１２が設置されている。
【００４１】
搬送ベルト５は、供給部３により供給された記録媒体をスタッカ４に搬送するためのものであり、駆動ローラ５１ａ，５１ｂ（図２参照）に架け渡されるように巻回されている。そして、搬送ベルト５の記録媒体を担持する側の面、即ち外周面には粘着力を有するようにシリコン処理が施されており、上流側（図１下側）に位置するニップローラ（図示せず）によって搬送ベルト５に押圧された記録媒体を、粘着力により保持させながら、一方の駆動ローラ５１ｂの回転駆動によって下流側（図１上側）へ向けて搬送させる。なお、請求項１記載の第１の方向には、搬送ベルト５による記録媒体の搬送方向（図１上下方向）が該当する。
【００４２】
記録ヘッド６は、その長手方向が搬送ベルト５の幅方向（図１左右方向）となるようにヘッドユニット７に固定されると共に、各インクカートリッジ１６に対応した第１から第６記録ヘッド６ａ〜６ｆが第１の方向に沿って並設されている。なお、本実施の形態では記録ヘッド６は６つで構成されているが、必ずしもこれに限られるものではなく、６つ以下の複数個で構成しても良く、６つ以上で構成しても良い。
【００４３】
また、各記録ヘッド６ａ〜６ｆの搬送ベルト５と対向する面には、インクを吐出するインク吐出孔（図示せず）が配設されている。そして、搬送ベルト５上を搬送される記録媒体がインク吐出孔の下方を通過する際に、この記録媒体の上面、即ち画像形成面へ向けてインク滴が吐出されることで記録媒体に所望の画像を形成する。
【００４４】
また、各記録ヘッド６ａ〜６ｆのインクカートリッジ１６側（図１左側）の端部には、中空筒状のインク導入孔６ａ１〜６ｆ１が上方（図１紙面に対する垂直方向手前側）へ向けて突設されている。かかるインク導入孔６ａ１〜６ｆ１にそれぞれ第１から第６のインクチューブ１０ａ〜１０ｆが連結することで、各インクカートリッジ１６ａ〜１６ｆと各記録ヘッド６ａ〜６ｆとが連通する。そして、図１に示すように、各インク導入孔６ａ１〜６ｆ１は第１の方向と平行な直線である第１の仮想線Ｘに沿って並設される。
【００４５】
なお、インク導入孔６ａ１〜６ｆ１は、各記録ヘッド６ａ〜６ｆのインクカートリッジ１６側の端部に配設されることで、後述するインク導出孔９ａ１〜９ｆ１との連結距離を短くすることができる。これにより、各インクチューブ１０ａ〜１０ｆを短くすることができるので、材料コストの低減を図ることができる。
【００４６】
ヘッドユニット７は、第１の方向（図１上下方向）における両端の内、後述する第２の仮想線Ｙに近い側（記録媒体の搬送方向下流側、図１上側）の端部に設けられた第１の方向と直交する第２の方向（図１左右方向）に延在する軸を中心として記録装置本体２に対して回動可能に構成されている。
【００４７】
即ち、本実施の形態では、ヘッドユニット７は、記録媒体の搬送方向の下流側（図１上側）の一端が回動可能に記録装置本体２に軸支されると共に、他端側（図１下側）には取っ手７１が配設され、記録装置本体２の手前側（図１下側）からヘッドユニット７を回動させて排紙作業を行うジャム処理を行うことができる。
【００４８】
カートリッジ装着部８は、インクを貯留するインクカートリッジ１６を装着するためのものであり、記録ヘッド６の側方（図１左側）に配設されると共に、各記録ヘッド６ａ〜６ｆに対応した第１から第６カートリッジ装着部８ａ〜８ｆが第２の方向（図１左右方向）に沿って並設されている。また、第１から第６カートリッジ装着部８ａ〜８ｆの記録装置本体２の手前側は開口を有しており、インクカートリッジ１６ａ〜１６ｆが記録装置本体２の手前側から第１の方向に沿って挿入されることで装着可能に構成されている。
【００４９】
その結果、上述したように、記録媒体の供給作業、ジャム処理及びインクカートリッジ１６ａ〜１６ｆの着脱を記録装置本体２の手前側から行うことを可能として、ユーザーの使い勝手の向上を図っている。
【００５０】
インクカートリッジ１６ａ〜１６ｆは、それぞれがその長手方向一端側（図１下側）に取っ手１６ａ１〜１６ｆ１が配設され、カートリッジ装着部８への着脱の利便性の向上を図っている。
【００５１】
インク導出部９は、インクカートリッジ１６内のインクを記録ヘッド６へ導出するためのものであり、上方へ向けて突出する中空筒状のインク導出孔９ａ１〜９ｆ１と、第１から第６カートリッジ装着部８ａ〜８ｆの内部に向けて突設される導出針９ａ２〜９ｆ２とを備えて構成されている。これらの導出針９ａ２〜９ｆ２は、第１から第６カートリッジ装着部８ａ〜８ｆに装着された各インクカートリッジ１６ａ〜１６ｆに貫通してインクを各インクカートリッジ１６ａ〜１６ｆの外に導出させるものである。
【００５２】
なお、インク導出部９は、インクカートリッジ１６内のインクを記録ヘッド６へ導出する際に圧力を負荷するポンプを有して構成されることが望ましい。これにより、インク導入孔６ａ１〜６ｆ１がインク導出孔９ａ１〜９ｆ１よりも上方（図１紙面に対する垂直方向手前側）に配置される場合でも、確実にインクを供給することができる。
【００５３】
インク導出孔９ａ１〜９ｆ１は、インクチューブ１０が連結可能に構成され、中空筒状の内部を介してインクを導出する。そして、図１に示すように、各インク導出孔９ａ１〜９ｆ１は第２の方向と平行な直線である第２の仮想線Ｙに沿って並設される。即ち、各インク導出孔９ａ１〜９ｆ１の配列方向は、各インク導入孔６ａ１〜６ｆ１の配列方向と直交している。
【００５４】
導出針９ａ２〜９ｆ２は、中空筒状の針部材であり、各インクカートリッジ１６ａ〜１６ｆのインク供給孔に嵌入されたシール部材を貫通して各インクカートリッジ１６ａ〜１６ｆと各インク導出部９ａ１〜９ｆ１とをそれぞれ連通する。
【００５５】
インクチューブ１０は、インクカートリッジ１６に貯留されるインクを記録ヘッド６へ供給するためのものであり、インク導入孔６ａ１〜６ｆ１及びインク導出孔９ａ１〜９ｆ１の数がｎ個（ｎは２以上の自然数）の場合には、第１の仮想線Ｘと第２の仮想線Ｙとの
交点Ｏにｘ番目（ｘは自然数）に近いインク導出孔９ａ１〜９ｆ１は、交点にｎ−ｘ＋１番目に近いインク導入孔６ａ１〜６ｆ１と連結する。
【００５６】
即ち、本実施の形態では、インク導入孔６ａ１〜６ｆ１及びインク導出孔９ａ１〜９ｆ１は６つ（ｎ＝６）で構成されているので、交点Ｏに１番目に近い第１インク導出孔９ａ１に連結される第１インクチューブ１０ａは、交点Ｏに６番目に近い第１インク導入孔６ａ１に連結される。同様に、交点Ｏに２番目に近い第２インク導出孔９ｂ１に連結される第２インクチューブ１０ｂは、交点Ｏに５番目に近い第２インク導入孔６ｂ１に連結される。このように、インクチューブ１０は、インク導出孔９ａ１〜９ｆ１が交点Ｏから離間するに従い、インク導入孔６ａ１〜６ｆ１が交点Ｏに近接するように連結される。そして、交点Ｏに６番目に近い第６インク導出孔９ｆ１に連結される第６インクチューブ１０ｆは、交点Ｏに１番目に近い第６インク導入孔６ｆ１に連結される。
【００５７】
以上説明したインクチューブ１０ａ〜１０ｆによるインク導入孔６ａ１〜６ｆ１とインク導出孔９ａ１〜９ｆ１との連結関係は、言い換えると、インク導出孔９ａ１〜９ｆ１のある１つと連結されるインク導入孔６ａ１〜６ｆ１のある１つが、インク導出孔９ａ１〜９ｆ１のある１つよりも交点Ｏから離れたインク導出孔９ａ１〜９ｆ１の他の１つと連結されるインク導入孔６ａ１〜６ｆ１の他の１つに比べて交点Ｏから離れている関係となっている。
【００５８】
このようにインクチューブ１０を連結させることで、図１に示したようにインク導出孔９ａ１〜９ｆ１とインク導入孔６ａ１〜６ｆ１が直交して配置される場合においても、各インクチューブ１０ａ〜１０ｆの長さの差を少なくすることができる。これにより、インクチューブ１０の流路抵抗を均一化することができるので、各記録ヘッド６ａ〜６ｆの各インク吐出孔（図示せず）に形成されるメニスカスの形状と形成位置を均一化して、画像品質の劣化を防止することができる。
【００５９】
また、各インク導出孔９ａ１〜９ｆ１と各インク導入孔６ａ１〜６ｆ１との連結距離に応じて、異なる長さのインクチューブ１０をそれぞれ製造することを不要として、製造コストの低減を図ることができる。
【００６０】
同様に、製造時において、作業者が各インク導出孔９ａ１〜９ｆ１と各インク導入孔６ａ１〜６ｆ１との連結距離に対応したインクチューブ１０を選択して配設することを不要として、作業能率の向上を図ることができる。
【００６１】
なお、本実施の形態におけるインクチューブ１０は、シリアル式インクジェト記録装置に用いられる柔軟性の高いインクチューブよりも硬質な材料で肉厚に形成されている。これにより、水及び空気の透過防止性能の向上を図り、インクの品質劣化を防止することができる。
【００６２】
また、図１に示したように、第１、第２及び第３インクチューブ１０ａ，１０ｂ，１０ｃは結束具１５に束ねられることでチューブ束１０Ａを構成すると共に、第４、第５及び第６インクチューブ１０ｄ，１０ｅ，１０ｆは結束具１５に束ねられることでチューブ束１０Ｂを構成している。これにより、チューブ束１０Ａ，１０Ｂ同士の離間距離を確保することができるので、チューブ束１０Ａ，１０Ｂ同士が干渉することを防止して、インクチューブ１０の損傷及びインクチューブ１０が各インク導出孔９ａ１〜９ｆ１及び各インク導入孔６ａ１〜６ｆ１から外れてしまうことを防止することができる。
【００６３】
また、各チューブ束１０Ａ，１０Ｂは、それらを構成するインクチューブ１０の内、交点Ｏに近接するインク導入孔６ａ１〜６ｆ１に連結されるインクチューブ１０ほど下方（図１紙面に対する垂直方向奥側）で交差するように構成されている。即ち、チューブ束１０Ａにおいては、インクチューブ１０ａ，１０ｂ，１０ｃが下方から１０ｃ，１０ｂ，１０ａの順に重なり合って交差し、チューブ束１０Ｂにおいては、インクチューブ１０ｄ，１０ｅ，１０ｆが下方から１０ｆ，１０ｅ，１０ｄの順に重なり合って交差している。これにより、ヘッドユニット７の回動させた時（図３参照）に下方に位置するインクチューブ１０が上方（図１紙面に対する垂直方向手前側）に位置する各インクチューブ１０を上方へ押圧することを防止して、各インクチューブ１０が各インク導出孔９ａ１〜９ｆ１及び各インク導入孔６ａ１〜６ｆ１から外れてしまうことを防止することができる。また、ヘッドユニット７の回動動作もスムーズになる。
【００６４】
上述した理由により、チューブ束１０Ａよりも交点Ｏに近接するインク導入孔６ａ１〜６ｆ１に連結されるチューブ束１０Ｂは、チューブ束１０Ａの下方で交差するように構成される。
【００６５】
なお、結束具１５は、上面視において各インクチューブ１０ａ〜１０ｆが結束されない状態で自然に交差する点により近い箇所に配置することが望ましい。これにより、ヘッドユニット７を回動させる際に各インクチューブ１０ａ〜１０ｆにかかる負荷が軽減され、ヘッドユニット７の回動がよりスムーズになる。
【００６６】
第１チューブホルダ１１は、インク導出部９の上方（図１紙面に対する垂直方向手前側）に配設される板状部材であり、各インクチューブ１０ａ〜１０ｆが挿通される６つの第１貫通穴１３（１３ａ〜１３ｆ）が穿設されている。このように、各インクチューブ１０ａ〜１０ｆが第１貫通穴１３ａ〜１３ｆにそれぞれ挿通された場合には、各インクチューブ１０ａ〜１０ｆの離間距離を確保することができる。その結果、各インクチューブ１０ａ〜１０ｆ同士が干渉することを防止して、インクチューブ１０の損傷を防止することができる。また、記録ヘッド６のインク吐出孔に形成されたメニスカスの破壊も防止される。
【００６７】
なお、第６インク導出孔９ｆ１に連結される第６インクチューブ１０ｆが挿通する第１貫通穴１３ｆは、その上方（図１紙面に対する垂直方向手前側）開口が下方開口よりも交点Ｏ側、即ち記録ヘッド６側（図１右側）に位置するように傾斜を有して構成されている。これにより、第１貫通穴１３ｆに挿通される第６インクチューブ１０ｆが記録ヘッド６側に傾斜を有するので、第６インクチューブ１０ｆを折れ曲がらせることなく、第６インクチューブ１０ｆの軌道を低く設定することができる。よって、記録装置本体２の高さを低くすることができる。
【００６８】
なお、本実施の形態では、その他の第１貫通穴１３ａ〜１３ｅは、第１〜第５インク導出部９ａ１〜９ｅ１の突出方向（図１紙面に対する垂直方向）に沿う直線と略平行に穿設されているが、必ずしもこれに限られるものではなく、かかる第１貫通穴１３ａ〜１３ｅを、その上方開口が下方開口よりも記録ヘッド６側に位置するように傾斜を有して構成しても良い。
【００６９】
また、本実施の形態では、第１貫通穴１３ｆは、その上方開口が下方開口よりも記録ヘッド６側に位置するように傾斜を有して構成されているが、必ずしもこれに限られるものではなく、その上方開口が下方開口よりも第１貫通穴１３ｆと第２チューブホルダ１２に形成された後述する第２貫通穴１４ｆを結ぶ仮想線上に位置するように傾斜を有して構成しても良い。これにより、第１貫通穴１３ｆに挿通される第６インクチューブ１０ｆが第２貫通穴１４ｆ側に傾斜を有するので、第６インクチューブ１０ｆを折れ曲がらせることなく、その軌道を低く設定することができ、記録装置本体２の高さをより低くすることができる。また、第１貫通穴１３ａ〜１３ｅも同様に構成しても良い。
【００７０】
第２チューブホルダ１２は、インク導入孔６ａ１〜６ｆ１の上方（図１紙面に対する垂直方向手前側）に配設される板状部材であり、各インクチューブ１０ａ〜１０ｆが挿通される６つの第２貫通穴１４（１４ａ〜１４ｆ）が穿設されている。このように、各インクチューブ１０ａ〜１０ｆが第２貫通穴１４ａ〜１４ｆにそれぞれ挿通された場合には、各インクチューブ１０ａ〜１０ｆの離間距離を確保することができる。その結果、各インクチューブ１０ａ〜１０ｆ同士が干渉することを防止して、インクチューブ１０の損傷及びメニスカスの破壊を防止することができる。
【００７１】
また、第２貫通穴１４ａ〜１４ｆの内、第１〜第３インクチューブ１０ａ〜１０ｃが挿通される第２貫通穴１４ａ〜１４ｃの下方（図１紙面に対する垂直方向奥側）開口は各インク導入孔６ａ〜６ｃよりも交点Ｏ側（図１上側）に位置すると共に、第４〜第６インクチューブ１０ｄ，１０ｅ，１０ｆが挿通される第２貫通穴１４ｄ〜１４ｆの下方開口は各インク導入孔６ｄ〜６ｆよりもインクカートリッジ１６側（図１左側）に位置している。なお、詳細については後述する。
【００７２】
また、第２貫通穴１４ｄ〜１４ｆは、その上方開口が下方開口よりもインクカートリッジ１６側に位置するように傾斜を有して構成されている。これにより、第２貫通穴１４ｄ〜１４ｆに挿通される第４から第６インクチューブ１０ｄ〜１０ｆがインクカートリッジ１６側に向けて傾斜を有するので、第４から第６インクチューブ１０ｄ〜１０ｆを折れ曲がらせることなく、その軌道を低く設定することができ、記録装置本体２の高さを低くすることができる。
【００７３】
また、図１に示したように、チューブ束１０Ａを構成する第１から第３インクチューブ１０ａ〜１０ｃが挿通される第２貫通穴１４ａ〜１４ｃは、第２チューブホルダ１２の幅方向（図１左右方向）中央よりもインクカートリッジ１６から離間する側（図１右側）に配置されると共に、第１の方向（図１上下方向）と略平行な仮想線に沿って並設されている。同様に、チューブ束１０Bを構成する第４から第６インクチューブ１０ｄ〜１０ｆが挿通される第２貫通穴１４ｄ〜１４ｆは、第２チューブホルダ１２の幅方向（図１左右方向）中央よりもインクカートリッジ１６側（図１左側）に配置されると共に、第１の方向と略平行な仮想線に沿って並設されている。これにより、各チューブ束１０Ａ，１０B同士の離間距離を確保することができる。その結果、各チューブ束１０Ａ，１０B同士が干渉することを防止して、インクチューブ１０の損傷及びメニスカスの破壊を防止することができる。
【００７４】
次いで、図２及び図３を参照して、ヘッドユニット７の回動について説明する。図２は、ヘッドユニット７の閉塞時におけるインクジェット記録装置１の側面図であり、図３は、ヘッドユニット７の開放時におけるインクジェット記録装置１の側面図である。
【００７５】
図２に示したように、ヘッドユニット７は、閉塞時において搬送ベルト５と対向する位置に配設され、上述したように、記録媒体の搬送方向上流側（図２右側）に取っ手７１が配設されると共に、下流側（図２左側）が記録装置本体２に軸支されている。そして、図３に示したように、ヘッドユニット７に固定された記録ヘッド６と共に上方（図３上方）へ回動可能に構成されている。このように、ヘッドユニット７を上方へ回動させることで、ジャム処理を容易に行うことができる。
【００７６】
第２チューブホルダ１２に穿設される第２貫通穴１４ａ〜１４ｃは、その上方（図１上側）開口が下方（図１下側）開口よりも交点Ｏ（図１参照）側（図２左側）に位置するように傾斜を有して構成されている。これにより、第２貫通穴１４ａ〜１４ｃに挿通される第１から第３インクチューブ１０ａ〜１０ｃが交点Ｏ側（回動中心側）に向けて傾斜を有するので、第１から第３インクチューブ１０ａ〜１０ｃを折れ曲がらせることなく、その軌道を低く設定することができ、記録装置本体２の高さを低くすることができる。
【００７７】
なお、本実施の形態では、第２貫通穴１４ａ〜１４ｃは、その上方開口が下方開口よりも交点Ｏ側（回動中心側）に位置するように傾斜を有して構成されているが、必ずしもこれに限られるものではなく、その上方開口が下方開口よりも各第２貫通穴１４ａ〜１４ｃと各第１貫通穴１３ａ〜１３ｃとをそれぞれ結ぶ仮想線上に位置するように傾斜を有して構成しても良い。これにより、各第２貫通穴１４ａ〜１４ｃにそれぞれ挿通される第１から第３インクチューブ１０ａ〜１０ｃが第１貫通穴１３ａ〜１３ｃ側にそれぞれ傾斜を有するので、第１から第３インクチューブ１０ａ〜１０ｃを折れ曲がらせることなく、その軌道を低く設定することができ、記録装置本体２の高さをより低くすることができる。また、第２貫通穴１４ｄ〜１４ｆも同様に構成しても良い。
【００７８】
また、各第２貫通穴１４ａ〜１４ｆの内径寸法は、各インクチューブ１０ａ〜１０ｆの外径寸法よりも大きく設定されている。これにより、各第２貫通穴１４ａ〜１４ｆにそれぞれ挿通される各インクチューブ１０ａ〜１０ｆの外壁と各第２貫通穴１４ａ〜１０ｆの内壁との隙間を確保して、各インクチューブ１０ａ〜１０ｆの遊びを確保することができる。その結果、各インクチューブ１０ａ〜１０ｆが各第２貫通穴１４ａ〜１４ｆに規制されることを防止して、各インクチューブ１０ａ〜１０ｆに過剰な負荷がかかることが防止される。
【００７９】
次いで、図４を参照して、第２チューブホルダ１２について説明する。図４は第２チューブホルダ１２の拡大図である。なお、インクチューブ１０及び記録ヘッド６の一部は図示を省略する。
【００８０】
各記録ヘッド６ａ〜６ｆは、それぞれ上方（図４上側）へ向けて突出する中空筒状のインク導入孔６ａ１〜６ｆ１を備え、かかるインク導入孔６ａ１〜６ｆ１に各インクチューブ１０ａ〜１０ｆがそれぞれ外嵌される。
【００８１】
ここで、第２貫通穴１４ａの下方（図４下側）開口は、第１インク導入孔６ａ１と第２インク導入孔６ｂ１と略中間に対応して位置している。これにより、第１インクチューブ１０ａは、第２貫通穴１４ａの下方開口が第１インク導入孔６ａ１と第２インク導入孔６ｂ１と略中間よりも第２インク導入孔６ｂ１側（図４右側）に配置される場合と比較して、緩やかな傾斜で第１インク導入孔６ａ１に連結させることができる。その結果、第１インク導入孔６ａ１に掛かる負荷を小さくして、第１インク導入孔６ａ１が損傷することを防止することができる。なお、図４に示されるように、第２貫通穴１４ｂ，１４ｃも同様に構成され、第２インクチューブ１０ｂ及び第３インクチューブ１０ｃは、それぞれ緩やかな傾斜で第２インク導入孔６ｂ１及び第２インク導入孔６ｃ１に連結されている。
【００８２】
ストッパ１７（１７ａ〜１７ｆ）は、各インク導入孔６ａ１〜６ｆ１と第２チューブホルダ１２との間に配置されると共に、各インクチューブ１０ａ〜１０ｆに外嵌して固定されている。また、これらのストッパ１７の外径寸法は、各第２貫通穴１４ａ〜１４ｆの内径寸法よりも大きく設定されている。これにより、各インクチューブ１０ａ〜１０ｆが各第２貫通穴１４ａ〜１４ｆの延在方向へ移動することを防止して、各インクチューブ１０ａ〜１０ｆに過剰な負荷がかかることを防止することができる。
【００８３】
次に、図５を参照して第２実施の形態について説明する。第２実施の形態においては、６本のインクチューブ１１０ａ〜１１０ｆによる６つのインク導出孔９ａ１〜９ｆ１と６つのインク導入孔６ａ１〜６ｆ１との接続関係が第１実施の形態とは異なっている。また、第１実施の形態では、各インクチューブ１０ａ〜１０ｆは３本づつ束ねられて構成される場合を説明したが、第２実施の形態では、各インクチューブ１１０ａ〜１１０ｆは２本づつ束ねられて構成されている。それ以外の構成は、第１実施の形態と同様である。なお、上述した第１実施の形態と同一の部分には同一の符号を付して、その説明は省略する。
【００８４】
図５は、第２実施の形態におけるインクジェット記録装置１０１の上面図である。
【００８５】
インクチューブ１１０は、インクカートリッジ１６に貯留されるインクを記録ヘッド６へ供給するためのものである。
【００８６】
即ち、図５に示したように、第１インクチューブ１１０ａは第１インク導出孔９ａ１と第２インク導入孔６ｂ１とに連結され、第２インクチューブ１１０ｂは第２インク導出孔９ｂ１と第１インク導入孔６ａ１とに連結される。かかる第１及び第２インクチューブ１１０ａ，１１０ｂは結束具１５で束ねられてチューブ束１１０Ａを形成する。
【００８７】
同様に、第３インクチューブ１１０ｃは第３インク導出孔９ｃ１と第４インク導入孔６ｄ１とに連結され、第４インクチューブ１１０ｄは第４インク導入孔９ｄ１と第３インク導出孔６ｃ１とに連結され、チューブ束１１０Ｂを形成する。
【００８８】
同様に、第５インクチューブ１１０ｅは第５インク導出孔９ｅ１と第６インク導入孔６ｆ１に連結され、第６インクチューブ１１０ｆは第６インク導出孔９ｆ１と第５インク導入孔６ｅ１とに連結され、チューブ束１１０Ｃを形成する。
【００８９】
このように、各インク導出孔９ａ１〜９ｆ１と各インク導入孔６ａ１〜６ｆ１とを連結させることで、チューブ束１１０Ａ，１１０Ｂ，１１０Ｃを構成するインクチューブ１１０同士は交差しない。これにより、ヘッドユニット７の回動時に下方（図５紙面に対する垂直方向奥側）のインクチューブ１１０が上方（図５紙面に対する垂直方向手前側）のインクチューブ１１０を上方へ押圧することを防止して、各インクチューブ１１０が各インク導出孔９ａ１〜９ｆ１及び各インク導入孔６ａ１〜６ｆ１から外れてしまうことを防止することができる。
【００９０】
また、異なるチューブ束１１０Ａ，１１０Ｂ，１１０Ｃに属する２本のインクチューブ１１０に着目すると、それら２本によって連結されるインク導入孔６ａ１〜６ｆ１とインク導出孔９ａ１〜９ｆ１との連結関係は、第１実施の形態の場合と同様に、インク導出孔９ａ１〜９ｆ１のある１つと連結されるインク導入孔６ａ１〜６ｆ１のある１つが、インク導出孔９ａ１〜９ｆ１のある１つよりも交点Ｏから離れたインク導出孔９ａ１〜９ｆ１の他の１つと連結されるインク導入孔６ａ１〜６ｆ１の他の１つに比べて交点Ｏから離れている関係となっている。
【００９１】
例えば、チューブ束１１０Ａに属する第１インクチューブ１１０ａとチューブ束１１０Ｂに属する第３インクチューブ１１０ｃとに着目すると、第１インクチューブ１１０ａを介して第１インク導出孔９ａ１と連結される第２インク導入孔６ｂ１が、第１インク導出孔９ａ１よりも交点Ｏから離れた第３インク導出孔９ｃ１と第３インクチューブ１１０ｃを介して連結される第４インク導入孔９ｄ１に比べて交点Ｏから離れた関係となっている。
【００９２】
従って、各インクチューブ１１０ａ〜１１０ｆの長さの差を少なくして、インクチューブ１１０ａ〜１１０ｆの流路抵抗を均一化することができる。その結果、各記録ヘッド６ａ〜６ｆのインク吐出孔（図示せず）に形成されるメニスカスの形状と形成位置を均一化して、画像品質の劣化を防止することができる。
【００９３】
第２チューブホルダ１１４は、インク導入孔６ａ１〜６ｆ１の上方（図５紙面に対する垂直方向手前側）に配設される板状部材であり、各インクチューブ１１０ａ〜１１０ｆが挿通可能される６つの第２貫通穴１１４（１１４ａ〜１１４ｆ）が穿設されている。このように、各インクチューブ１１０ａ〜１１０ｆが第２貫通穴１１４ａ〜１１４ｆにそれぞれ挿通された場合には、各インクチューブ１１０ａ〜１１０ｆの離間距離を確保することができる。その結果、各インクチューブ１１０ａ〜１１０ｆ同士が干渉することを防止して、インクチューブ１１０の損傷及びメニスカスの破壊を防止することができる。
【００９４】
また、図５に示したように、チューブ束１１０Ａを構成する第１及び第２インクチューブ１１０ａ，１１０ｂが挿通される第２貫通穴１１４ａ，１１４ｂは、第２チューブホルダ１１２の幅方向（図５左右方向）中央よりもインクカートリッジ１６から離間する側（図５右側）に配置されると共に、第１の方向（図５上下方向）と略平行な仮想線に沿って並設される。
【００９５】
同様に、チューブ束１１０Ｂを構成する第３及び第４インクチューブ１１０ｃ，１１０ｄが挿通される第２貫通穴１１４ｃ，１１４ｄは、第２チューブホルダ１１２の幅方向中央に配置されると共に、第１の方向と略平行な仮想線に沿って並設される。
【００９６】
同様に、チューブ束１１０Ｃを構成する第５及び第６インクチューブ１１０ｅ，１１０ｆが挿通される第２貫通穴１１４ｅ，１１４ｆは、第２チューブホルダ１１２の幅方向中央よりもインクカートリッジ１６側（図５左側）に配置されると共に、第１の方向と略平行な仮想線に沿って並設される。
【００９７】
以上のように第２貫通穴１１４ａ〜１１４ｆが配置されることで、各チューブ束１１０Ａ，１１０Ｂ，１１０Ｃ同士の離間距離を確保することができる。その結果、各チューブ束１１０Ａ，１１０Ｂ，１１０Ｃ同士が干渉することを防止して、インクチューブ１１０の損傷及びメニスカスの破壊を防止することができる。
【００９８】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【００９９】
上述した本実施の形態においては、カートリッジ装着部８は、記録装置本体２の正面側（手前側）に開口を有し、各インクカートリッジ１６ａ〜１６ｆが正面側から挿入されることで装着されているが、記録装置本体２の背面側の開口から各インクカートリッジ１６ａ〜１６ｆが挿入されて装着されるものであっても良い。この形態によれば、インクカートリッジ１６ａ〜１６ｆを各カートリッジ装着部８ａ〜８ｆに挿入する装着作業とスタッカ４から記録媒体を取り出す排紙作業をともに記録装置本体２の背面側から行うことができる。
【０１００】
なお、本実施の形態のインクジェット記録装置１，１０１は、理解を容易とするためにインクチューブ１０，１１０が上面視できるように図示されているが、記録装置本体２，１０２が外装部材により覆われて構成されるものである。
【図面の簡単な説明】
【０１０１】
【図１】本発明の第１実施の形態におけるインクジェット記録装置の上面図である。
【図２】ヘッドユニットの閉塞時におけるインクジェット記録装置の側面図である。
【図３】ヘッドユニットの開放時におけるインクジェット記録装置の側面図である。
【図４】第２チューブホルダの拡大図である。
【図５】本発明の第２実施の形態におけるインクジェット記録装置の上面図である。
【符号の説明】
【０１０２】
１，１０１                                      インクジェット記録装置
３                                              供給部（記録媒体供給部）
５                                              搬送ベルト（搬送手段）
６                                              記録ヘッド
６ａ１，６ｂ１，６ｃ１，６ｄ１，６ｅ１，６ｆ１  インク導入孔
７                                              ヘッドユニット
８                                              カートリッジ装着部
９                                              インク導出部
９ａ１，９ｂ１，９ｃ１，９ｄ１，９ｅ１，９ｆ１  インク導出孔
１０，１１０                                    インクチューブ
１０Ａ，１０Ｂ，１１０Ａ，１１０Ｂ，１１０Ｃ    チューブ束
１１                                            第１チューブホルダ
１２，１１２                                    第２チューブホルダ
１３                                            第１貫通穴
１４，１１４                                    第２貫通穴
１５                                            結束具
１６                                            インクカートリッジ
１７                                            ストッパ
Ｏ                                              交点
Ｘ                                              第１の仮想線
Ｙ                                              第２の仮想線
【図１】
2006239880.tif 000003
【図２】
2006239880.tif 000004
【図３】
2006239880.tif 000005
【図４】
2006239880.tif 000006
【図５】
2006239880.tif 000007